(57)【特許請求の範囲】
【請求項１】
イカの産卵期に親イカが来遊する場所に、軽量のプラスチック製の帯状ネットが放射状に配置され且つ放射状の各帯状ネットが筒状の枠に成型されてその内部に形成されるイカ産卵室を設置し、各イカ産卵室内にイカの卵が産み付けられる耐蝕性の産卵基質材を茂み状に取り付け、放射状の各イカ産卵室の上面側に該イカ産卵室内を影部分にする日除けカバー用シートを取り付けたことを特徴とするイカ類用人工産卵床。
【請求項２】
イカの産卵期に親イカが来遊する場所に、軽量のプラスチック製の帯状ネットを箱形の枠に成型してその内部に形成されるイカ産卵室を設置し、イカ産卵室内にイカの卵が産み付けられる耐蝕性の産卵基質材を茂み状に取り付け、イカ産卵室の上面側に該イカ産卵室内を影部分にする日除けカバー用シートを取り付けたことを特徴とするイカ類用人工産卵床。
【請求項３】
イカの産卵期に親イカが来遊する場所に、軽量のプラスチック製の帯状ネットを筒状の枠に成型してその内部に形成されるイカ産卵室を設置し、イカ産卵室内にイカの卵が産み付けられる耐蝕性の産卵基質材を茂み状に取り付け、イカ産卵室の上面側に該イカ産卵室内を影部分にする日除けカバー用シートを取り付けたことを特徴とするイカ類用人工産卵床。
【請求項４】
産卵基質材は、耐蝕性のロープ又は綱からなる請求項１〜請求項３の何れかに記載のイカ類用人工産卵床。
【発明の詳細な説明】
【０００１】
【発明の属する技術分野】
本発明は、卵を海底の構造物に直接産み付ける習性のあるイカ類例えばアオリイカやコウイカを対象し、沿岸に時期的に産卵のために来遊するイカ類の増殖を行うのに使用するイカ類用人工産卵床に関するものである。
【０００２】
【従来の技術】
従来のイカ用産卵床の産卵するための場所（産卵基質）は、天然の照葉樹の葉付の小枝あるいはコンクリート製であった。
【０００３】
【発明が解決しようとする課題】
しかしながら、従来の技術では照葉樹が通常１〜２ヶ月で落葉および基質の腐食のため、産卵床として機能しなくなり、腐る前に流れ出すと定置網や刺し網などにかかり破網の原因になった。また、コンクリート製基質は投入後漁場に放置されることで回収および管理が煩雑であり、さらに広範囲に本基質を投入すると漁場としての利用価値が低下する。
【０００４】
本発明は、上記のような課題に鑑み、その課題を解決すべく創案されたものであって、その目的とするところは、腐らない漁網やロープを使用し、その形状を保つのに軽くて組立て簡単なプラスチック網を使用することで、照葉樹に匹敵する産卵量の確保と設置・回収および回収後の管理を容易にすることのできるイカ類用人工産卵床を提供することにある。
【０００６】
【課題を解決するための手段】
以上の目的を達成するために、本発明の請求項１は、イカの産卵期に親イカが来遊する場所に、軽量のプラスチック製の帯状ネットが放射状に配置され且つ放射状の各帯状ネットが筒状の枠に成型されてその内部に形成されるイカ産卵室を設置し、各イカ産卵室内にイカの卵が産み付けられる耐蝕性の産卵基質材を茂み状に取り付け、放射状の各イカ産卵室の上面側に該イカ産卵室内を影部分にする日除けカバー用シートを取り付けた手段よりなるものである。
【０００７】
また、本発明の請求項２は、イカの産卵期に親イカが来遊する場所に、軽量のプラスチック製の帯状ネットを箱形の枠に成型してその内部に形成されるイカ産卵室を設置し、イカ産卵室内にイカの卵が産み付けられる耐蝕性の産卵基質材を茂み状に取り付け、イカ産卵室の上面側に該イカ産卵室内を影部分にする日除けカバー用シートを取り付けた手段よりなるものである。
【０００８】
また、本発明の請求項３は、イカの産卵期に親イカが来遊する場所に、軽量のプラスチック製の帯状ネットを筒状の枠に成型してその内部に形成されるイカ産卵室を設置し、イカ産卵室内にイカの卵が産み付けられる耐蝕性の産卵基質材を茂み状に取り付け、イカ産卵室の上面側に該イカ産卵室内を影部分にする日除けカバー用シートを取り付けた手段よりなるものである。
【０００９】
ここで、請求項１〜請求項３の発明の好ましい態様として、産卵基質材は、耐蝕性のロープ又は綱からなる。
【００１０】
【発明の実施の形態】
以下、図面に記載の発明の実施の形態に基づいて、本発明をより具体的に説明する。
【００１１】
図１〜図４において、イカ類用人工産卵床１は、卵を海底の構造物に直接産み付ける習性のあるイカ類例えばアオリイカやコウイカを対象し、沿岸に時期的に産卵のために来遊するイカ類の増殖を行うために使用されるもので、イカの産卵期に親イカが来遊する場所の海底に設置されて使用される。
【００１２】
図１及び図２に図示するイカ類用人工産卵床１は、軽量のプラスチック製の帯状ネット２ａが放射状に配置され且つ放射状の各帯状ネット２ａが筒状の枠に成型されてその内部に形成されるイカ産卵室２、各イカ産卵室２内に茂み状に取り付けられイカの卵が産み付けられる耐蝕性の産卵基質材３、放射状の各イカ産卵室２の上面側に取り付けられ該イカ産卵室２内を影部分にする日除けカバー用シート４から構成される。
【００１３】
図１及び図２に図示するイカ類用人工産卵床１は、平面から見て軽量のプラスチック製の帯状ネット２ａが放射状例えば十字状に配置されている。十字状に配置された帯状ネット２ａはそれぞれ筒状に曲げられて筒状の枠が成型されていて、筒状の枠の両端側は開口されている。この帯状ネット２ａで成型される筒状の枠の内部にイカ産卵室２が形成されている。帯状ネット２ａは例えばハニカム構造からなっている。
【００１４】
図１及び図２に図示するイカ類用人工産卵床１の帯状ネット２ａの幅は、その内部のイカ産卵室２内に産卵するイカの足の長さの２倍程度である。開口された筒状の枠の両側からそれぞれイカが産卵のために足を入れた場合に、それぞれのイカの足が当たらない程度の幅となっている。これは帯状ネット２ａの幅がそれ以上長い場合には、イカの足が届かない中央部分には産卵されず、その一方、幅が大きくなる分、イカ類用人工産卵床１が大きくなり、不経済的となるのを回避するためである。
【００１５】
また、図１及び図２に図示するようにイカ産卵室２が放射状に配置されている場合には、産卵するイカはこの両面の開口部分から内部のイカ産卵室２内に足を入れて、内部の産卵基質材３に卵を産み付ける。産卵するイカは放射状の各イカ産卵室２の両側の開口部分を利用して産卵するので、イカ産卵室２が十字状に配置されている場合には、８箇所の開口部分が存在することになって、効率良く産卵することが可能となる。
【００１６】
図３に図示するイカ類用人工産卵床１は、軽量のプラスチック製の帯状ネット２ａを箱形の枠に成型してその内部に形成されるイカ産卵室２、各イカ産卵室２内に茂み状に取り付けられイカの卵が産み付けられる耐蝕性の産卵基質材３、放射状の各イカ産卵室２の上面側に取り付けられ該イカ産卵室２内を影部分にする日除けカバー用シート４から構成される。
【００１７】
図３に図示するイカ類用人工産卵床１は、耐蝕性のプラスチック製の軽量の棒状枠フレーム２ｂにより箱形の骨組が構成され、その４側面に帯状ネット２ａが取り付けられている。イカ産卵室２は箱形の内部に形成されている。産卵するイカはこの４側面から内部のイカ産卵室２内に足を入れて、内部の産卵基質材３に卵を産み付ける。帯状ネット２ａは棒状枠フレーム２ｂにロープなどによって連結されている。帯状ネット２ａは例えばハニカム構造からなっている。
【００１８】
図４に図示するイカ類用人工産卵床１は、軽量のプラスチック製の帯状ネット２ａを筒状の枠に成型してその内部に形成されるイカ産卵室２、各イカ産卵室２内に茂み状に取り付けられイカの卵が産み付けられる耐蝕性の産卵基質材３、放射状の各イカ産卵室２の上面側に取り付けられ該イカ産卵室２内を影部分にする日除けカバー用シート４から構成される。
【００１９】
図４に図示するイカ類用人工産卵床１は、帯状ネット２ａが筒状に曲げられて筒状の枠が成型されていて、筒状の枠の両端側は開口されている。この帯状ネット２ａで成型される筒状の枠の内部にイカ産卵室２が形成されている。産卵するイカはこの両面の開口部分から内部のイカ産卵室２内に足を入れて、内部の産卵基質材３に卵を産み付ける。帯状ネット２ａは例えばハニカム構造からなっている。
【００２０】
図１〜図４に図示する産卵基質材３は、後述するように、沿岸性のイカ類が本来卵をアマモやホンダワラなどの水生植物の幹に当たる部分に産み付ける習性があるのを利用したもので、アマモやホンダワラなどの水生植物の幹に当たる部分を人工的に造り出したものである。産卵基質材３には腐らないロープや魚網が使用される。産卵基質材３として使用されるロープや魚網の直径は、水生植物の幹の太さと同じ程の大きさであり、又卵が産み付け易いようにその材質表面の粗度がある程度必要であり、ロープや魚網はこの条件を満たしている。
【００２１】
また、ロープや魚網が使用される産卵基質材３は、イカ産卵室２内に茂み状につまり密に取り付けられていて、イカ産卵室２内の空間密度が高められており、より多くの産卵ができるようになっている。これによりイカの増殖を高めることが可能となっている。
【００２２】
図１、図３及び図４に図示するように、産卵基質材３が茂み状に取り付けられたイカ産卵室２の上面には、これを覆うように日除けカバー用シート４が取り付けられている。日除けカバー用シート４には例えば黒色シートが使用される。イカ産卵室２内に太陽光線が届くのを防いで、イカ産卵室２内に影部分を造るためである。これはイカが影部分つまり低照度で産卵する習性を利用したものである。
【００２３】
次に、上記発明の実施の形態の構成に基づく作用について以下説明する。
沿岸性のイカ類は本来卵をアマモやホンダワラなどの水生植物の幹に当たる部分に産み付ける習性がある。本発明は前述の既往の知見に加えイカ類の産卵が次に示すような条件で行われるという発明者の一人の知見を応用し、開発したものである。本種は海底付近の円柱状の直立あるいは海底に平行な物体に産み付ける習性があり、それらが周囲より相対的に低照度な場所であり、一定の直径の基質であること、基質相互の距離がイカの腕程度であること、材質表面の粗度がある程度必要であること、汚れや腐食が激しくないこと等と要約できる。
【００２４】
産卵基質材３にプラスチック網と漁網やロープを使用することで、水生植物の幹に相当する部分と同程度の直径が選択でき、合成繊維であるため腐食がなく、硬質プラスチック網で成型したイカ産卵室２の例えば放射状および円柱状の枠の上部に、日除けカバー用シート４としての例えば黒色シートを配することで、イカ産卵室２内の産卵基質材３の各基質部分を低照度に保てるなど、天然の産卵基質が有する産卵に必要な特性を漁具資材により人工的に再現できた。腐敗しないことから産卵期間の延長で産卵育成の効果を従来のものより飛躍的に高めることが出来た。また、解体も容易であるため産卵期終了後は回収し低容積で収納でき、次期に使用できる。また、資材が漁具であるため軽くて組立て簡単なため、設置および撤去作業が手軽にでき、管理が容易である。
【００２５】
【実施例】
幅１．２ｍ×高さ０．３５ｍ十字形のプラスチック網を使用し、形状を保つ。上部には、日除けカバー用シート４としての黒い幕を張り、内部のイカ産卵室２に影が出来るようにする。イカ産卵室２の内部空間にロープや漁網からなる産卵基質材３を取り付け、又産卵基質材３を茂み状に取り付けて空間密度を上げる。対象海域で本発明と従来の木を使用したイカ用産卵床を５ヶ月間設置し比較した。水深は３ｍから１４ｍで内海や外洋に開けた湾内など数箇所に設置した。
【００２６】
なお、本発明は上記発明の実施の形態に限定されるものではなく、本発明の精神を逸脱しない範囲で種々の改変をなし得ることは勿論である。イカ類用人工産卵床は、必要に応じて両端にブイを配置し幹縄で連結することも可能である。
【００２７】
【発明の効果】
以上の記載より明らかなように、本発明に係るイカ類用人工産卵床によれば、実施海域において、本発明にはアオリイカやコウイカ類の産卵が多数みられ、従来の照葉樹の束と比較しても、産卵量（単位容積あたり）は２倍以上に達した。また、照葉樹が２ヶ月で効果が消失するのに対して、本発明のイカ類用人工産卵床では４ヶ月以上と産卵される期間が長いことが分かった。また、設置作業や撤去作業も従来のものより作業性がよく、簡単に折り畳めることから保管でき繰り返し使用できる等、極めて新規的有益なる効果を奏するものである。
【図面の簡単な説明】
【図１】本発明の実施の形態−１を示すイカ類用人工産卵床の斜視図である。
【図２】本発明の実施の形態−１を示すイカ類用人工産卵床の帯状ネットの斜視図である。
【図３】本発明の実施の形態−２を示すイカ類用人工産卵床の斜視図である。
【図４】本発明の実施の形態−３を示すイカ類用人工産卵床の斜視図である。
【符号の説明】
１    イカ類用人工産卵床
２    イカ産卵室
２ａ  帯状ネット
２ｂ  棒状枠フレーム
３    産卵基質材
４    日除けカバー用シート
【図１】
0003792170.tif 000002
【図２】
0003792170.tif 000003
【図３】
0003792170.tif 000004
【図４】
0003792170.tif 000005